(57)【要約】【課題】給気用フィルタが有する塵埃除去能力を維持することができる空気調和装置の室内機の提供。【解決手段】室内機１は、室内空気の吸い込み口２１が形成された本体２と、室外空気を室内に供給する給気ダクト３とを有する天井設置型の空気調和装置の室内機１である。この室内機１は、吸い込み口用フィルタ４ａと、給気用フィルタ４ｂと、昇降部９とを備える。吸い込み口用フィルタ４ａは、吸い込み口２１から吸い込まれた室内空気から塵埃を除去する。給気用フィルタ４ｂは、給気ダクト３を通過した室外空気から塵埃を除去する。昇降部９は、メンテナンス時、吸い込み口用フィルタ４ａ及び給気用フィルタ４ｂを、本体２から離れた所定位置に降下させる。【選択図】図４
2009063188.tif 000002
【特許請求の範囲】
【請求項１】
室内空気の吸い込み口（２１，１２１）が形成された本体（２，１０２）と、室外空気を室内に供給する給気ダクト（３，１０３）とを有する天井設置型の空気調和装置の室内機（１，１０１）であって、
前記吸い込み口（２１，１２１）から吸い込まれた前記室内空気から塵埃を除去する吸い込み口用フィルタ（４ａ，１０４ａ）と、
前記給気ダクト（３，１０３）を通過した前記室外空気から塵埃を除去する給気用フィルタ（４ｂ，１０４ｂ）と、
メンテナンス時、前記吸い込み口用フィルタ（４ａ，１０４ａ）及び前記給気用フィルタ（４ｂ）を、前記本体（２，１０２）から離れた所定位置に降下させる昇降部（９，１０９）と、
を備える、空気調和装置の室内機（１，１０１）。
【請求項２】
通常時には前記吸い込み口（２１，１２１）付近に配置されているパネル（５，１０５）と、
前記吸い込み口用フィルタ（４ａ，１０４ａ）を前記パネル（５，１０５）に支持可能な第１支持部（７，１０７）と、
前記給気用フィルタ（４ｂ，１０４ｂ）を前記パネル（５，１０５）に支持可能な第２支持部（８，１０８）と、
を更に備え、
前記昇降部（９，１０９）は、メンテナンス時、前記吸い込み口用フィルタ（４ａ，１０４ａ）及び前記給気用フィルタ（４ｂ，１０４ｂ）が支持された前記パネル（５，１０５）を前記所定位置に降下させる、
請求項１に記載の空気調和装置の室内機（１，１０１）。
【請求項３】
前記第２支持部（８，１０８）は、メンテナンス時に、前記給気用フィルタ（４ｂ，１０４ｂ）を前記パネル（５，１０５）に支持させる、
請求項２に記載の空気調和装置の室内機（１，１０１）。
【請求項４】
前記給気用フィルタ（４ｂ，１０４ｂ）は、運転時には前記給気ダクト（３，１０３）に接触するように配置されている、
請求項１〜３のいずれかに記載の空気調和装置の室内機（１，１０１）。
【請求項５】
前記吸い込み口用フィルタ（１０４ａ）及び前記給気用フィルタ（１０４ｂ）は、運転時、前記室外空気が前記給気用フィルタ（１０４ｂ）を通過した後、前記吸い込み口用フィルタ（１０４ａ）を通過するように配置されている、
請求項１〜４のいずれかに記載の空気調和装置の室内機（１０１）。
【発明の詳細な説明】
【技術分野】
【０００１】
本発明は、空気調和装置の室内機、特に、室内空気の吸い込み口が形成された本体と、室外空気を室内に供給する給気ダクトとを有する天井設置型の空気調和装置の室内機に関する。
【背景技術】
【０００２】
従来より、天井に設置される空気調和装置の室内機としては、下面に吸い込み口が形成された本体を備えたものが良く知られている。また、このような室内機には、例えば特許文献１に開示されているように、室外空気を室内に供給する給気機能を有するものがある。具体的に、特許文献１の室内機には、室外空気を室内へと導くための給気ダクトが設けられており、給気ダクトを通過した室外空気は、吸い込み口を経て室内に供給される。
【特許文献１】特開２００２−２７６９９２号公報
【発明の開示】
【発明が解決しようとする課題】
【０００３】
一般的に、室外空気には、塵や埃、花粉等が含まれている。特に、季節によっては、室外空気に含まれる花粉の量が多い場合がある。このような室外空気は、室内に直接供給されると、室内に居る利用者にさまざまな影響を及ぼす恐れがある。この対策として、給気ダクト付近に給気用フィルタを設置し、室外空気から塵や埃、花粉等を除去する方法がある。しかしながら、室外空気から除去された塵や埃、花粉等は、給気用フィルタに付着するため、給気用フィルタの使用時間が長くなる程、給気用フィルタの塵埃除去能力は衰えてしまう。
【０００４】
そこで、本発明は、給気用フィルタの塵埃除去能力を維持することができる空気調和装置の室内機の提供を目的とする。
【課題を解決するための手段】
【０００５】
発明１に係る空気調和装置の室内機は、室内空気の吸い込み口が形成された本体と、室外空気を室内に供給する給気ダクトとを有する天井設置型の空気調和装置の室内機である。この空気調和装置の室内機は、吸い込み口用フィルタと、給気用フィルタと、昇降部とを備える。吸い込み口用フィルタは、吸い込み口から吸い込まれた室内空気から塵埃を除去する。給気用フィルタは、給気ダクトを通過した室外空気から塵埃を除去する。昇降部は、メンテナンス時、吸い込み口用フィルタ及び給気用フィルタを、本体から離れた所定位置に降下させる。
【０００６】
この室内機によると、メンテナンス時には、吸い込み口用フィルタと共に給気用フィルタが降下するため、室内機の利用者は、容易に両フィルタの清掃を行うことができる。従って、吸い込み口用フィルタの塵埃除去能力を維持すると共に、給気用フィルタの塵埃除去能力を維持することができる。
【０００７】
発明２に係る空気調和装置の室内機は、発明１に係る空気調和装置の室内機であって、パネルと、第１支持部と、第２支持部とを更に備える。パネルは、通常時には、吸い込み口付近に配置されている。第１支持部は、吸い込み口用フィルタをパネルに支持することができる。第２支持部は、給気用フィルタをパネルに支持することができる。そして、昇降部は、メンテナンス時、吸い込み口用フィルタ及び給気用フィルタが支持されたパネルを所定位置に降下させる。
【０００８】
この室内機によると、メンテナンス時には、吸い込み口用フィルタ及び給気用フィルタは、パネルに支持された状態で降下する。従って、室内機は、両フィルタを安定した状態で降下させることができる。
【０００９】
発明３に係る空気調和装置の室内機は、発明２に係る空気調和装置の室内機であって、第２支持部は、メンテナンス時に、給気用フィルタをパネルに支持させる。
【００１０】
給気用フィルタは、メンテナンス時にはパネルに支持され、メンテナンス時以外（具体的には、室内機の運転時等）には、例えば本体に支持されるとする。この場合、メンテナンス時以外の時、パネルには給気用フィルタが支持されていないため、例えばパネルは吸い込み口を開放するように動作することができる。従って、パネルの動作の自由度が上がる。
【００１１】
発明４に係る空気調和装置の室内機は、発明１〜３のいずれかに係る空気調和装置の室内機であって、給気用フィルタは、運転時には給気ダクトに接触するように配置されている。
【００１２】
これにより、室内機の運転時、室内には、塵埃が確実に取り除かれた室外空気が供給されるようになる。
【００１３】
発明５に係る空気調和装置の室内機は、発明１〜４のいずれかに係る空気調和装置の室内機であって、吸い込み口用フィルタ及び給気用フィルタは、運転時、室外空気が給気用フィルタを通過した後吸い込み口用フィルタを通過するように配置されている。
【００１４】
これにより、室外空気が室内に供給される場合、室内には、塵埃がより確実に除去された室外空気が供給されるようになる。
【発明の効果】
【００１５】
発明１に係る空気調和装置の室内機によると、メンテナンス時には、吸い込み口用フィルタと共に給気用フィルタが降下するため、室内機の利用者は、容易に両フィルタの清掃を行うことができる。従って、吸い込み口用フィルタの塵埃除去能力を維持すると共に、給気用フィルタの塵埃除去能力を維持することができる。
【００１６】
発明２に係る空気調和装置の室内機は、両フィルタを安定した状態で降下させることができる。
【００１７】
発明３に係る空気調和装置の室内機によると、パネルの動作の自由度が上がる。
【００１８】
発明４に係る空気調和装置の室内機によると、室内機の運転時、室内には、塵埃が確実に取り除かれた室外空気が供給されるようになる。
【００１９】
発明５に係る空気調和装置の室内機によると、室外空気が室内に供給される場合、室内には、塵埃がより確実に除去された室外空気が供給されるようになる。
【発明を実施するための最良の形態】
【００２０】
以下、本発明の一実施形態に係る空気調和装置の室内機を、図面を用いて説明する。
【００２１】
（１）構成
図１（ａ）及び（ｂ）は、それぞれ本実施形態に係る空気調和装置の室内機１の運転停止時及び運転時の斜視図であって、図２は、室内機１のメンテナンス時において、フラットパネル５が降下した時の室内機１の斜視図である。図３（ａ）及び（ｂ）は、図１（ａ）及び（ｂ）における室内機１の内部の構成を、室内機１の第１側面２ａ側から見た場合の概略図である。図４（ａ）及び（ｂ）は、図１（ａ）及び図２における室内機１の内部の構成を、第１側面２ａに略垂直な第２側面２ｂ側から見た場合の概略図である。この室内機１は、室内の天井に設置される、いわゆる天井設置型の室内機であって、暖房運転や冷房運転、給気運転、加湿運転等を行うことができる。
【００２２】
室内機１は、図１〜図４及び図１０に示すように、本体２、給気ダクト３、吸い込み口用フィルタ４ａ、給気用フィルタ４ｂ、フラットパネル５（パネルに相当）、水平フラップ６、第１フィルタ支持部７（第１支持部に相当）、第２フィルタ支持部８（第２支持部に相当）、昇降部９、受信部１０ａ、運転状態表示部１０ｂ及び制御部１１を備えている。
【００２３】
尚、以下では、例えば本体２の「下方」のように、「上」、「下」、「右」「左」等の方向を示す表現を適宜用いているが、これらは室内機１が図１の状態で室内の天井に取り付けられ、通常使用される場合での各方向を表す。
【００２４】
〔本体〕
本体２は、図１のＷ方向に長い略矩形状の形状を有しており、下面として化粧パネル２ｃを有している。化粧パネル２ｃには、図３に示すように、吸い込み口２１と吹き出し口２２とが１つずつ形成されている。吸い込み口２１は、室内の空気が吸い込まれるための開口であって、吹き出し口２２は、吸い込み口２１から吸い込まれ室内熱交換器２５により熱交換された後の空気が室内へ吹き出されるための開口である。吸い込み口２１及び吹き出し口２２は、本体２の長手方向（即ち、Ｗ方向）に沿って細長い略矩形状の形状を有している。そして、吸い込み口２１の面積は、吹き出し口２２の面積よりも大きい。また、本体２の第１側面２ａには、図４に示すように、室外空気を本体２内部に導入するための給気口２３が設けられている。
【００２５】
そして、本体２の内部には、図３に示すように、主として、送風ファン２４及び室内熱交換器２５等が収容されている。送風ファン２４は、吸い込み口２１から吹き出し口２２への空気の流れを生成するためのものである。室内熱交換器２５は、室内の空気と熱交換を行うためのものである。
【００２６】
また、本体２の吸い込み口２１付近には、フラットパネル５の回動軸２６、後述する押しカム２７及びパネル駆動部２８が位置している（図６〜図８）。ここで、本実施形態に係る回動軸２６及び押しカム２７は、それぞれ２つずつ設けられている。パネル駆動部２８は、モータやギア等で構成されており、各回動軸２６をフラットパネル５の２つの回動支持部５４それぞれに抜き差しさせると共に、２つの押しカム２７を第１及び第２フィルタ支持部７，８の傾斜部７１，８１それぞれに接触させたり傾斜部７１，８１から離したりする（図５〜図８）。
【００２７】
〔給気ダクト〕
給気ダクト３は、室外機（図示せず）と室内機１とを繋いでおり、室外機で給気及び／または加湿された室外空気を室内に供給するための配管である。給気ダクト３は、本体２の給気口２３を通るように配置されており、給気ダクト３の本体側の端部が吸い込み口２１まで到達するように延びている。これにより、給気ダクト３内部を通過した室外空気は、吸い込み口２１の一部を経て室内に供給される。
【００２８】
〔吸い込み口用フィルタ及び給気用フィルタ〕
吸い込み口用フィルタ４ａは、通常時（即ち、メンテナンス時以外。具体的には、室内機１の運転時や運転停止時が該当）には、本体２の内部であってかつ吸い込み口２１の近傍に設けられている。通常時における吸い込み口用フィルタ４ａは、図４（ａ）に示すように、吸い込み口２１のうち給気ダクト３の本体側端部を除く部分を塞ぐように、フラットパネル５に対し略水平に設置されており、吸い込み口２１から吸い込まれた室内空気から塵埃を除去する。尚、室内機１のメンテナンス時おける吸い込み口用フィルタ４ａは、図４（ｂ）に示すように、フラットパネル５に対し略水平な状態のままフラットパネル５に支持され、フラットパネル５と共に本体２から離れて降下される。
【００２９】
給気用フィルタ４ｂは、通常時には、本体２内部であってかつ給気ダクト３に接触するように設けられている。より具体的には、通常時における給気用フィルタ４ｂは、図４（ａ）に示すように、吸い込み口２１に位置する給気ダクト３の本体側端部を塞ぐように、フラットパネル５に対し略水平に配置されている。即ち、給気用フィルタ４ｂは、吸い込み口２１のうち、吸い込み口用フィルタ４ａにより塞がれていない残りの部分を塞ぐように、配置されている。このような給気用フィルタ４ｂは、給気ダクト３を通過した室外空気から塵埃を除去する。尚、室内機１のメンテナンス時における給気用フィルタ４ｂは、図４（ｂ）に示すように、フラットパネル５に対し略水平な状態のままフラットパネル５に支持され、フラットパネル５と共に本体２から離れて降下する。
【００３０】
ここで、上述した両フィルタ４ａ，４ｂが除去する塵埃の種類としては、主として、塵や埃の他、花粉が挙げられる。特に、給気ダクト３を通過する室外空気は、吸い込み口２１から吸い込まれる室内空気に比して花粉の含有量が高い。そこで、給気用フィルタ４ｂとして、吸い込み口用フィルタ４ａよりも花粉を除去する能力の高いフィルタを用いるとよい。これにより、花粉を多く含む室外空気が室内に供給されることを抑制することができる。また、給気用フィルタ４ｂとしては、花粉除去能力の高いフィルタの他、例えば抗酸化作用のあるビタミンＣを放出させるフィルタや、保湿効果のあるヒアルロン酸が配合されたフィルタ等を用いることができる。
【００３１】
〔フラットパネル〕
フラットパネル５は、通常時には吸い込み口２１付近に配置されており、図１に示すように、吸い込み口２１の形状と同様、本体２のＷ方向に沿って細長い略矩形状の形状を有している。フラットパネル５は、図１や図２、図４（ｂ）に示すように、本体２側から延びる２本のワイヤ９１で吊り上げられていると共に、図３に示すように、吹き出し口２２に近い側の端部を中心として本体２に対し回動自在に取り付けられている。
【００３２】
以下に、フラットパネル５の具体的な構成について、図５〜図８を用いて説明する。図５に示すように、フラットパネル５の長手方向の両端部付近には、リブ５１が１つずつ配置されている。各リブ５１には、ワイヤ９１の先端部分が連結されるための孔５２が形成されている。より具体的には、図５におけるフラットパネル５の右側端部のリブ５１の孔５２は、吹き出し口２２から離れたフラットパネル５の第１端部５ａ（図１参照）に近い位置に形成されており、フラットパネル５の左側端部のリブ５１に設けられた孔５２は、吹き出し口２２に近いフラットパネル５の第２端部５ｂ（図１参照）付近に設けられている。更に、各リブ５１には、第１フィルタ支持部７の突起部７２または第２フィルタ支持部８の突起部８２が嵌合されるための溝５３がそれぞれ形成されている。
【００３３】
そして、フラットパネル５の第２端部５ｂの両端部分には、回動支持部５４がそれぞれ設けられている。回動支持部５４は、フラットパネル５が吸い込み口２１を閉じた時に本体２の内側を向くフラットパネル５の面５ｃから上方に突出した形状を有しており、本体２側に設けられた回動軸２６が嵌合するための長孔５５が形成されている。回動軸２６が図６の矢印Ｘ方向に移動して長孔５５に嵌合されると、回動支持部５４は、長孔５５の上端部分が回動軸２６に到達するまで、下方にスライドできるようになる。
【００３４】
このようなフラットパネル５は、室内機１の運転停止時には、吸い込み口２１を閉じる閉姿勢を採り（図１（ａ）、図３（ａ）、図４（ａ）、図７）、室内機１の運転時には、吸い込み口２１を開放する開姿勢を採る（図１（ｂ）、図３（ｂ）、図８）。特に、フラットパネル５が閉姿勢から開姿勢に至る時には、ワイヤ９１が繰り出されと共に、回動支持部５４は回動軸２６が嵌合されている長孔５５によって本体２の下方にスライドし、この動作に伴ってフラットパネル５は長孔５５の長さ分だけ降下する。そして、長孔５５の上端部分が回動軸２６に達すると（図８）、フラットパネル５は、回動軸２６を中心として図８のＶ方向へ回動し、開姿勢を採る。これにより、室内の空気は、図３の矢印Ａの方向から吸い込み口２１を介して本体２内部に送られる。
【００３５】
また、室内機１のメンテナンス時には、回動軸２６が長孔５５から離れた状態で各ワイヤ９１が緩められることにより、フラットパネル５は、本体２の下方に位置するようになる（図２、図４（ｂ））。
【００３６】
〔水平フラップ〕
水平フラップ６は、吹き出し口２２から吹き出される空気を、図３（ｂ）の矢印Ｂの方向に案内するためのものであって、吹き出し口２２を開閉可能に設けられている。水平フラップ６は、運転停止時には吹き出し口２２を閉じ、運転時には吸い込み口２１側の端部（即ち、フラットパネル５側の端部）を回動軸として回動し、吹き出し口２２を開放する。このような水平フラップ６は、モータ６ａ（図１０）やギア（図示せず）等により回転駆動される。
【００３７】
〔第１フィルタ支持部及び第２フィルタ支持部〕
第１フィルタ支持部７は、吸い込み口用フィルタ４ａをフラットパネル５に支持するためのものであって、第２フィルタ支持部８は、給気用フィルタ４ｂをフラットパネル５に支持するためのものである。第１フィルタ支持部７は、図５において吸い込み口用フィルタ４ａの左側端部に設けられており、傾斜部７１、突起部７２及び係止部７３で構成される。第２フィルタ支持部８は、図５において給気用フィルタ４ｂの右側端部に設けられており、傾斜部８１、突起部８２及び係止部８３で構成される。このように、第１フィルタ支持部７と第２フィルタ支持部８とでは、支持するフィルタ及びフィルタに対して設けられている位置が異なるが、第１フィルタ支持部７の傾斜部７１，突起部７２及び係止部７３は、第２フィルタ支持部８の傾斜部８１、突起部８２及び係止部８３と同様の構成を有する。そのため、以下では、説明の便宜上、第２フィルタ支持部８を例に取り説明する。
【００３８】
図６〜図８に示すように、第２フィルタ支持部８の傾斜部８１、突起部８２及び係止部８３は、給気用フィルタ４ｂのフレーム部分４１ｂに設けられており、矢印Ｚの方向にスライドすることができる。具体的には、傾斜部８１は、パネル駆動部２８に連結された押しカム２７に接触可能な面を有する。傾斜部８１は、押しカム２７に接触していない時には、給気用フィルタ４ｂのフレーム部分４１ｂの端部４２ｂに位置し（図６）、矢印Ｘの方向に押された押しカム２７に接触すると、矢印Ｚの方向に押されて移動する（図７）。突起部８２は、リブ５１の溝５３に嵌合可能な形状を有している。突起部８２は、傾斜部８１がフレーム部分４１ｂの端部４２ｂに位置している場合には、リブ５１の溝５３に嵌合され（図６）、傾斜部８１が移動すると、溝５３から離れた状態となる（図７，図８）。係止部８３は、傾斜部８１がフレーム部分４１ｂの端部４２ｂに位置している場合には、フレーム部分４１ｂの内部に収納されており（図６）、傾斜部８１が移動すると、フレーム部分４１ｂから矢印Ｚの方向に突出し、給気用フィルタ４ｂを本体２に係止させる（図７，図８）。尚、押しカム２７は、室内機１のメンテナンス時には、傾斜部８１から離れた非接触状態となり、メンテナンス時以外の通常時には、傾斜部８１に接触した状態となるものとする。
【００３９】
このような構成を有する第２フィルタ支持部８によると、給気用フィルタ４ｂは、メンテナンス時にはフラットパネル５に支持され、メンテナンス時以外の通常時には、本体２に支持される。
【００４０】
尚、室内機１のメンテナンス時には、両フィルタ４ａ，４ｂはフラットパネル５に支持されるが、室内機１の利用者は、フィルタ４ａ，４ｂを図６の矢印Ｚの方向側に押すことで突起部７２，８２を溝５３から外し、両フィルタ４ａ，４ｂをフラットパネル５から取り外すことができる。
【００４１】
〔昇降部〕
昇降部９は、フラットパネル５を本体２に対し昇降及び降下させる。特に、本実施形態に係る昇降部９は、メンテナンス時には、吸い込み口用フィルタ４ａ及び給気用フィルタ４ｂが支持されたフラットパネル５を、本体２から離れた所定位置に降下させる。このような昇降部９は、主として、２本のワイヤ９１及び２つの昇降駆動部９２を有している。
【００４２】
各ワイヤ９１の一端は、フラットパネル５のリブ５１それぞれに形成された孔５２に連結され（図５〜図８）、他端は、各昇降駆動部９２に接続されている（図２，図３（ｂ），図４（ｂ））。そして、このワイヤ９１は、図１（ｂ）に示すように、フラットパネル５の手前側の第１端部５ａに近い部分及びフラットパネル５の奥側の第２端部５ｂに近い部分を吊り上げる。
【００４３】
昇降駆動部９２は、ワイヤ９１の巻き取り及び繰り出しを行うものであって、図９に示すように、滑車９３、巻取り歯車９４、駆動歯車９５、モータ９６及びスイッチ９７を有している。滑車９３は、滑車部９３ａとカム部９３ｂとが一体に成形されており、滑車部９３ａは、ワイヤ９１を支持すると共に、ワイヤ９１の移動に伴って回転する。カム部９３ｂは、小径曲面部分、大径曲面部分、及びこれらの両曲面部分を結ぶ平面部分とで構成される。巻取り歯車９４は、ワイヤ９１を巻取るボビン９４ａと歯車部９４ｂとを有し、これらは一体成形されている。駆動歯車９５は、巻取り歯車９４の歯車部９４ｂと噛み合い、ボビン９４ａを回転させる。モータ９６は、駆動歯車９５を回転駆動させるためのステッピングモータである。スイッチ９７は、レバー９７ａを有するマイクロスイッチであって、レバー９７ａが押されることによってオンする。レバー９７ａは、常に滑車９３のカム部９３ｂと接触しており、カム部９３ｂとの接触部分が小径曲面部分から大径曲面部分に、または大径曲面部分から小径曲面部分となった時に押される。
【００４４】
〔受信部及び運転状態表示部〕
受信部１０ａ及び運転状態表示部１０ｂは、図１に示すように、本体２の化粧パネル２ｃに設けられている。受信部１０ａは、リモートコントローラから送信される各種運転の開始指示や各種設定等を受信可能なように設けられている。運転状態表示部１０ｂは、例えばＬＥＤで構成され、室内機１の運転状況に応じて点灯や点滅を行うことにより、室内機１が現在行っている運転状況を室内機１の利用者に知らせることができる。
【００４５】
〔制御部〕
制御部１１は、本体２の内部に収容されており、ＣＰＵ及びメモリからなるマイクロコンピュータや、各種モータのドライブ回路が実装された基板等で構成されている。制御部１１は、図１０に示すように、主として、受信部１０ａ、運転状態表示部１０ｂ、送風ファン２４の回転駆動源であるファンモータ２４ａ、水平フラップ６駆動用のモータ６ａと接続されているおり、接続された各機器の制御を行う。例えば、制御部１１は、受信部１０ａがリモートコントローラから受信した各種運転の開始指示等に基づいて、水平フラップ６による吹き出し口２２の開閉制御や、ファンモータ２４ａの回転駆動制御、運転状態表示部１０ｂの表示状態の制御等を行う。
【００４６】
また、制御部１１は、回動軸２６及び押しカム２７を駆動させるパネル駆動部２８や、昇降部９に含まれるモータ９６、スイッチ９７とも接続されており、第１及び第２フィルタ支持部７，８の動作制御やフラットパネル５の動作制御を行う。例えば、制御部１１は、２本のワイヤ９１の繰り出し量や巻き取り量を調整することで、フラットパネル５の降下動作及び上昇動作を制御する。また、吸い込み口用フィルタ４ａ及び給気用フィルタ４ｂが支持されていない状態でフラットパネル５が開姿勢や閉姿勢を採ることができるように、制御部１１は、パネル駆動部２８の駆動制御を行う。具体的には、制御部１１は、メンテナンス時以外では、各回動軸２６が長孔５５に嵌合し、かつ押しカム２７それぞれが傾斜部７１，８１に接触した状態となるように、パネル駆動部２８の駆動制御を行う。特に、室内機１のメンテナンス時には、制御部１１は、吸い込み口用フィルタ４ａ及び給気用フィルタ４ｂが支持されたフラットパネル５が所定位置まで降下するように、パネル駆動部２８及びモータ９６の駆動制御を行う。
【００４７】
（２）動作
次に、本実施形態に係る室内機１の動作について説明する。
【００４８】
室内機１が運転を停止している時は、フラットパネル５及び水平フラップ６は、吸い込み口２１及び吹き出し口２２を完全に遮蔽する閉姿勢を採る。この時、各回動軸２６が回動支持部５４の長孔５５に嵌め込まれた状態であるか、または嵌め込まれていない状態であるかについては、どちらであってもよい。また、押しカム２７それぞれが、第１及び第２フィルタ支持部７，８の傾斜部７１，８１に接触した状態であるか、または離れた状態であるかについても、どちらであってもよい。尚、本実施形態では、フラットパネル５が閉姿勢である時には、各回動軸２６が長孔５５に嵌合され、押しカム２７それぞれが傾斜部７１，８１に接触している場合を例にとる（図７、図８）。即ち、閉姿勢時のフラットパネル５は、２本のワイヤ９１の他、回動軸２６によって本体２に連結されている。更にこの時、第１及び第２フィルタ支持部７，８の突起部７２，８２は溝５３から離れており、係止部７３，８３が各フィルタ４ａ，４ｂから本体２に向かって突出した状態であるため、吸い込み口用フィルタ４ａ及び給気用フィルタ４ｂは、本体２に支持されている。特に、給気用フィルタ４ｂは、給気ダクト３に接触するように配置されている。
【００４９】
この状態で、受信部１０ａがリモートコントローラから運転開始の指示を受信した場合、昇降部９では、ワイヤ９１の繰り出しが行われる。これにより、フラットパネル５は長穴５５の長さ分だけ降下した後、回動軸２６を中心として回動し、開姿勢となる（図３（ｂ））。また、水平フラップ６は、吹き出し口２２を開放する。
【００５０】
フラットパネル５が開姿勢の状態で、受信部１０ａがリモートコントローラから運転停止の指示を受信した場合、昇降部９では、ワイヤ９１の巻き取りが行われる。これにより、フラットパネル５は閉姿勢となる（図３（ａ））。また、水平フラップ６は、運転開始時に回動した方向とは逆の方向に回動し、吹き出し口２２を遮蔽する。
【００５１】
フラットパネル５が閉姿勢である状態において、受信部１０ａがリモートコントローラからメンテナンスの実行指示を受信した場合、先ずはパネル駆動部２８が駆動する。すると、長孔５５に嵌合されていた各回動軸２６は長孔５５から離れ、押しカム２７は、それぞれ傾斜部７１，８１から離れるように（具体的には、図６のＸ方向とは逆方向に）移動する。これにより、フラットパネル５は、２本のワイヤ９１のみで本体２に連結された状態となる。また、突起部７２，８２は溝５３に嵌合し、係止部７３，８３は本体２から離れるため、吸い込み口用フィルタ４ａ及び給気用フィルタ４ｂは、フラットパネル５に支持された状態となる（図６）。次いで、昇降部９は、この状態のフラットパネル５を本体２から離れた所定位置に降下させる（図４（ｂ））。
【００５２】
また、フラットパネル５が開姿勢である状態において、受信部１０ａがメンテナンスの実行指示を受信した場合には、フラットパネル５は、一旦閉姿勢となるように動作する。その後、第１及び第２フィルタ支持部７，８が吸い込み口用フィルタ４ａ及び給気用フィルタ４ｂをフラットパネル５に支持させると、昇降部９は、このフラットパネル５を本体２から離れた所定位置に降下させる。
【００５３】
（３）効果
（Ａ）
本実施形態に係る室内機１によると、室内機１のメンテナンス時には、吸い込み口用フィルタ４ａと共に給気用フィルタ４ｂが降下するため、室内機の利用者は、容易に両フィルタ４ａ，４ｂの清掃を行うことができる。従って、吸い込み口用フィルタ４ａの塵埃除去能力を維持すると共に、給気用フィルタ４ｂの塵埃除去能力を維持することができる。
【００５４】
（Ｂ）
また、室内機１のメンテナンス時には、吸い込み口用フィルタ４ａ及び給気用フィルタ４ｂは、第１フィルタ支持部７及び第２フィルタ支持部８によりフラットパネル５に支持された状態で降下する。従って、室内機１は、両フィルタ４ａ，４ｂを安定した状態で降下させることができる。
【００５５】
（Ｃ）
特に、給気用フィルタ４ｂは、メンテナンス時にはフラットパネル５に支持され、メンテナンス時以外の通常時には、本体２に支持される。そのため、室内機１の運転時、フラットパネル５には給気用フィルタ４ｂが支持されていないため、フラットパネル５は、容易に開姿勢や閉姿勢を採ることができる。即ち、フラットパネル５の動きの自由度が上がる。
【００５６】
（Ｄ）
また、給気用フィルタ４ｂは、運転時には給気ダクト３に接触するように配置されるため、室内機１の運転時、室内には、塵埃が確実に取り除かれた室外空気が供給されるようになる。
【００５７】
＜その他の実施形態＞
（ａ）
上記実施形態では、図４に示すように、給気用フィルタ４ｂのみを通過した室外空気が室内に供給されるように、吸い込み口用フィルタ４ａ及び給気用フィルタ４ｂが配置されている場合について説明した。しかし、吸い込み口用フィルタ及び給気用フィルタは、室外空気が給気用フィルタを通過した後、更に吸い込み口用フィルタも通過するように配置されていてもよい。図１１は、この場合の室内機１０１内部の構成を示す概要図である。
【００５８】
図１１の室内機１０１は、主として、本体１０２、給気ダクト１０３、吸い込み口用フィルタ１０４ａ、給気用フィルタ１０４ｂ、フラットパネル１０５、第１フィルタ支持部１０７、第２フィルタ支持部１０８及び昇降部１０９を備えている。本体１０２には、吸い込み口１２１や給気口１２３が設けられており、送風ファン１２４を収容している。昇降部１０９は、２本のワイヤ１９１及び２つの昇降駆動部１９２を有する。尚、吸い込み口用フィルタ１０４ａ及び給気用フィルタ１０４ｂを除く室内機１０１の各機能部は、上記実施形態に係る図４の室内機１の各機能部と同様であるため、以下では、吸い込み口用フィルタ１０４ａ及び給気用フィルタ１０４ｂについて説明する。
【００５９】
吸い込み口用フィルタ１０４ａは、通常時（即ち、メンテナンス時以外。具体的には、室内機１０１の運転時や運転停止時が該当）には、本体１０２の内部であってかつ吸い込み口１２１の近傍に設けられている。通常時における吸い込み口用フィルタ１０４ａは、図１１（ａ）に示すように、吸い込み口１２１をほぼ塞ぐようにフラットパネル１０５に対し略水平に設けられており、吸い込み口１２１から吸い込まれた室内空気から塵埃を除去する。尚、室内機１０１のメンテナンス時における吸い込み口用フィルタ１０４ａは、図１１（ｂ）に示すように、フラットパネル１０５に対し略水平な状態のままフラットパネル１０５に支持され、フラットパネル１０５と共に本体１０２から離れて降下される。
【００６０】
給気用フィルタ１０４ｂは、通常時には、本体１０２内部であってかつ給気ダクト１０３に接触するように設けられている。特に、本実施形態に係る給気用フィルタ１０４ｂは、図１１（ａ）に示すように、フラットパネル１０５に対し略垂直な状態で給気ダクト１０３の断面を塞ぐように位置している。このような給気用フィルタ１０４ｂは、給気ダクト１０３を通過した室外空気から塵埃を除去する。尚、室内機１０１のメンテナンス時における給気用フィルタ１０４ｂは、図１１（ｂ）に示すように、フラットパネル１０５に対し略垂直な状態のままフラットパネル１０５に支持され、フラットパネル１０５と共に本体２から離れて降下する。
【００６１】
上述したように吸い込み口用フィルタ１０４ａ及び給気用フィルタ１０４ｂが配置されていると、室外空気の給気運転時、室外空気は、給気用フィルタ１０４ｂを通過した後、更に吸い込み口用フィルタ１０４ａ通過してから室内に供給される。従って、室内には、第１実施形態の室内機１において給気運転が行われる場合よりも、塵埃がより確実に除去された室外空気が供給されるようになる。
【００６２】
（ｂ）
上記実施形態では、図４に示すように、給気用フィルタ４ｂがフラットパネル５に対し略水平に支持される室内機１について説明した。また、その他の実施形態（ａ）では、図１１に示すように、給気用フィルタ１０４ｂがフラットパネル１０５に対し略鉛直に支持される室内機１０１について説明した。しかし、給気用フィルタがフラットパネルに支持される位置や状態等については、これらに限定されない。即ち、メンテナンス時には給気用フィルタがフラットパネルと共に安定して降下できるのであれば、給気用フィルタはフラットパネルに対しどのように支持されていてもよい。
【００６３】
また、通常時、給気用フィルタが本体２，１０２にどのように配置されるかについても、第１実施形態及びその他の実施形態（ａ）における給気用フィルタ４ｂ，１０４ｂの配置に限定されない。即ち、本発明に係る給気用フィルタは、少なくとも給気運転においては、室外空気から塵埃を除去できるように、本体２，１０２に配置されていればよい。
【００６４】
（ｃ）
上記実施形態では、吸い込み口用フィルタ４ａ及び給気用フィルタ４ｂは、メンテナンス時以外の通常時においては、本体２に支持されている場合について説明した。しかし、吸い込み口用フィルタ及び給気用フィルタは、運転時にのみ本体に支持され、運転停止時には、メンテナンス時と同様、フラットパネルに支持されていてもよい。
【００６５】
また、吸い込み口用フィルタ及び給気用フィルタは、フラットパネルが問題なく開姿勢を採ることができれば、常にフラットパネルに支持されていてもよい。
【００６６】
（ｄ）
上記実施形態では、例えば図５に示すように、第１及び第２フィルタ支持部７，８が、それぞれ傾斜部７１，８１、突起部７２，８２及び係止部７３，８３で構成される場合について説明した。しかし、第１及び第２フィルタ支持部は、吸い込み口用フィルタ及び給気用フィルタをそれぞれフラットパネルに支持可能であれば、どのような構成であってもよい。
【００６７】
（ｅ）
上記実施形態では、室内機１のメンテナンス時には、吸い込み口用フィルタ４ａ及び給気用フィルタ４ｂが支持されたフラットパネル５を昇降部９が降下させる場合について説明した。しかし、例えばフラットパネルがスライドして吸い込み口を開放したり遮蔽したりする可動式パネルである場合等には、昇降部は、両フィルタが支持されたフラットパネルを降下させるのではなく、両フィルタそのものを所定位置に下降させてもよい。
【００６８】
（ｆ）
上記実施形態の室内機１は、各フィルタ４ａ，４ｂを清掃するための清掃機構を更に備えていても良い。このような室内機１では、清掃機構により各フィルタ４ａ，４ｂの清掃が行われた直後は、両フィルタ４ａ，４ｂは、清掃を行う必要のない状態にあるため、フラットパネル５が降下する場合にはフィルタ５と共に降下するのではなく、本体２側に支持されていてもよい。即ち、両フィルタ４ａ，４ｂは、原則本体２側に支持されるとよい。尚、清掃機構により両フィルタ４ａ，４ｂの清掃が行われた後には、清掃機構に含まれるダストボックスのみまたはダストボックスが支持された状態のフラットパネル５が降下されるとよい。これにより、利用者は、ダストボックス内に貯まった塵埃を除去することができる。
【００６９】
また、室内機１は、両フィルタ４ａ,４ｂの清掃が行われた旨を運転状態表示部１０ｂが表示し、室内機１のメンテナンスが行われる場合には、フラットパネル５と共に両フィルタ４ａ，４ｂが降下されるか否かの設定を、受信部１０ａがリモートコントローラを介して受け付けるような構成であってもよい。これにより、室内機１のメンテナンスが行われる直前に各フィルタ４ａ，４ｂの清掃が行われた場合には、利用者は、両フィルタ４ａ，４ｂ自体のメンテナンスが不要であると判断することができるため、両フィルタ４ａ，４ｂが不必要に降下せずに済む。
【産業上の利用可能性】
【００７０】
本発明は、吸い込み口用フィルタの塵埃除去能力を維持することができると共に、給気用フィルタの塵埃除去能力を維持することができる効果を有する。従って、本発明は、天井埋め込み型の空気調和装置の室内機に適用することができる。
【図面の簡単な説明】
【００７１】
【図１】（ａ）本実施形態に係る室内機１の運転停止時の斜視図であって、室内機１が閉姿勢を採る場合の図。  （ｂ）本実施形態に係る室内機１の運転時の斜視図であって、室内機１が開姿勢を採る場合の図。
【図２】本実施形態に係る室内機１のメンテナンス時の斜視図であって、フラットパネル５が降下した時の図。
【図３】（ａ）図１（ａ）における室内機１の内部の構成を、第１側面２ａ側から見た場合の概要図。  （ｂ）図１（ｂ）における室内機１の内部の構成を、第１側面２ａ側から見た場合の概要図。
【図４】（ａ）図１（ａ）における室内機１の内部の構成を、第２側面２ｂ側から見た場合の概要図。  （ｂ）図２における室内機１の内部の構成を、第２側面２ｂ側から見た場合の概要図。
【図５】図２のフラットパネル５を、上側から見た場合の図。
【図６】図５におけるフラットパネル５の右側部分の拡大図であって、回動軸２６が長孔５５から離れ、かつ押しカム２７が傾斜部７１に接触していない状態を示す図。
【図７】図５におけるフラットパネル５の右側部分の拡大図であって、回動軸２６が長孔５５に嵌合され、かつ押しカム２７が傾斜部７１に接触した時を示す図。
【図８】図５におけるフラットパネル５の右側部分の拡大図であって、回動軸２６が長孔５５の上側端部に位置し、フラットパネル５が開姿勢を採る場合を示す図。
【図９】昇降部９の内部の構成を示す概要図。
【図１０】本実施形態に係る室内機１を構成する各機能部を模式的に示すブロック図。
【図１１】（ａ）その他の実施形態（ａ）に係る室内機１０１の内部の構成を示す概要図であって、フラットパネル１０５が閉姿勢を採る場合の図。  （ｂ）その他の実施形態（ａ）に係る室内機１０１の内部の構成を示す概要図であって、室内機１０１のメンテナンス時の図。
【符号の説明】
【００７２】
１，１０１  室内機
２，１０２  本体
２ｃ  化粧パネル
２１，１２１  吸い込み口
２２  吹き出し口
２６  回動軸
２７  押しカム
２８  パネル駆動部
３，１０３  給気ダクト
４ａ，１０４ａ  吸い込み口用フィルタ
４ｂ，１０４ｂ  給気用フィルタ
５，１０５  フラットパネル
５１  リブ
５２  孔
５３  溝
５４  回動支持部
５５  長孔
６  水平フラップ
７，１０７  第１支持部
７１  傾斜部
７２  突起部
７３  係止部
８，１０８  第２支持部
８１  傾斜部
８２  突起部
８３  係止部
９，１０９  昇降部
９１  ワイヤ
９２  昇降駆動部
１１  制御部
【図１】
2009063188.tif 000003
【図２】
2009063188.tif 000004
【図３】
2009063188.tif 000005
【図４】
2009063188.tif 000006
【図５】
2009063188.tif 000007
【図６】
2009063188.tif 000008
【図７】
2009063188.tif 000009
【図８】
2009063188.tif 000010
【図９】
2009063188.tif 000011
【図１０】
2009063188.tif 000012
【図１１】
2009063188.tif 000013